(57)【要約】【課題】  ナイフバーとナイフクリップとを用いた摺動案内部の構造を改良して、良好な切断性能を長期間にわたって発揮させられるようにしたバリカン型刈取装置を提供する。【解決手段】  可動刃２と一体に左右移動するナイフバー２０の移動方向の左右両端部２０Ａを平面視で先細り形状に形成し、その先細り形状の両端部２０Ａを案内するナイフクリップ３０のガイド面３１ａ，３２ａを、ナイフバー移動方向の左右両端側が幅狭となる平面視ハの字状に傾斜させてある。【選択図】        図５
2008113616.tif 000002
【特許請求の範囲】
【請求項１】
位置固定された固定刃と、固定刃の上側で固定刃の延設方向と同方向に配設された可動刃と、前記可動刃を前記固定刃に対して左右往復駆動する刈り刃駆動機構とで構成されたバリカン型刈取装置であって、
可動刃の延設方向に沿って可動刃と一体に左右移動するナイフバーと、そのナイフバーの前後両側に沿ってナイフバーを摺動自在に案内するナイフクリップとを備え、
前記ナイフバーの移動方向の左右両端部を平面視で先細り形状に形成するとともに、その先細り形状の両端部を案内するナイフクリップのガイド面を、ナイフバー移動方向の左右両端側が幅狭となる平面視ハの字状に傾斜させてあることを特徴とするバリカン型刈取装置。
【請求項２】
位置固定された固定刃と、固定刃の上側で固定刃の延設方向と同方向に配設された可動刃と、前記可動刃を前記固定刃に対して左右往復駆動する刈り刃駆動機構とで構成されたバリカン型刈取装置であって、
可動刃の延設方向に沿って可動刃と一体に左右移動するナイフバーと、そのナイフバーの前後両側に沿ってナイフバーを摺動自在に案内するナイフクリップとを備え、
前記ナイフバーの移動方向での両端部と、その両端部を案内するナイフクリップのガイド面との間には、ナイフバー移動方向での両端部側ほど大きくなる間隙を形成してあることを特徴とするバリカン型刈取装置。
【請求項３】
ナイフバーの先細り形状の両端部を案内するナイフクリップよりも中央側寄り箇所付近に、ナイフバーの前後両側に沿って摺接案内する中央部ナイフクリップを設けてある請求項１または２記載のバリカン型刈取装置。
【請求項４】
左右両端側のナイフクリップが設けられた箇所よりもさらにナイフバー移動方向での端部寄り箇所に、ナイフバーの後方側への移行に対して弾性的に制限作用を与える弾性ガイド部材を設けてある請求項１、２、または３記載のバリカン型刈取装置。
【請求項５】
ナイフバーと中央部ナイフクリップとの摺接面を、可動刃の左右移動方向に直交する断面視で、ナイフバーとナイフクリップとの対向する摺接面のうちの一方が凸曲面で他方が凹曲面となるように湾曲した摺接面に形成してある請求項３記載のバリカン型刈取装置。
【発明の詳細な説明】
【技術分野】
【０００１】
本発明は、コンバインや草刈り機などで用いられているように、受け刃台に固定された固定刃に対して可動刃を刈り刃駆動機構で左右往復駆動するように構成されたバリカン型刈取装置に関する。
【背景技術】
【０００２】
この種のバリカン型刈取り装置としては、従来より、可動刃の延設方向に沿って可動刃と一体に左右方向に移動するように一定前後幅を有して長尺に形成された板状のナイフバーと、そのナイフバーの前後両側に沿ってナイフバーを摺動自在に案内するナイフクリップとを備えたものが知られている（例えば特許文献１参照）。
【０００３】
【特許文献１】特開平９−３２２６２６号公報（段落〔００１８〕、図４，６，７，８，９）
【発明の開示】
【発明が解決しようとする課題】
【０００４】
この種のバリカン型刈取装置では、可動刃と一体に設けられたナイフバーの動きが直線的な左右往復移動となるようにナイフクリップで案内することにより、固定刃に対する可動刃の作動を所期通りの直線的な左右往復動となるように規制して構成されている。この構造では、ナイフバーの左右往復移動がナイフクリップによる案内作用によって精度良く規制されている限りは、可動刃での良好な切断性能を保つことができる点で有用なものである。
しかしながら、バリカン型刈取装置は、長尺な可動刃およびナイフバーを、その長さ方向の一点で係合して、クランクアームの回転や揺動運動によって長さ方向（左右方向）に往復移動させるものであるため、どうしてもその左右両端側では前後方向で揺れ動く方向の作用力を生じやすくなる。
このため、従来の構造では、ナイフバーの左右両端部と、その左右両端部を案内するナイフクリップとの摺動面が他の部位に比べて早期のうちに摩耗し易い傾向がある。この左右両端部での摩耗が進行すると、ナイフバーの直線的な左右往復動を維持することが難しくなるばかりでなく、摩耗したナイフバーの前後方向の動きに伴う押圧作用でナイフクリップが押し上げられ、可動刃の前後移動や浮き上がりを生じて、切断性能の低下を招く虞がある。
【０００５】
本発明の目的は、ナイフバーとナイフクリップとを用いた摺動案内部の構造を改良して、良好な切断性能を長期間にわたって発揮させられるようにしたバリカン型刈取装置を提供することにある。
【課題を解決するための手段】
【０００６】
上記目的を達成するために講じた本発明の技術手段は、次の点に構成上の特徴、及び作用効果がある。
〔解決手段１〕
請求項１にかかる発明では、位置固定された固定刃と、固定刃の上側で固定刃の延設方向と同方向に配設された可動刃と、前記可動刃を前記固定刃に対して左右往復駆動する刈り刃駆動機構とで構成されたバリカン型刈取装置において、
可動刃の延設方向に沿って可動刃と一体に左右移動するナイフバーと、そのナイフバーの前後両側に沿ってナイフバーを摺動自在に案内するナイフクリップとを備え、
前記ナイフバーの移動方向の左右両端部を平面視で先細り形状に形成するとともに、その先細り形状の両端部を案内するナイフクリップのガイド面を、ナイフバー移動方向の左右両端側が幅狭となる平面視ハの字状に傾斜させてあることを特徴とする。
【０００７】
〔解決手段１にかかる発明の作用及び効果〕
上記のように、ナイフバーの移動方向の左右両端部を平面視で先細り形状に形成し、その先細り形状の両端部を案内するナイフクリップのガイド面を、ナイフバー移動方向の左右両端側が幅狭となる平面視ハの字状に傾斜させたことにより、ナイフバーの左右往復移動に際して生じる傾向がある左右両端部での前後動による押圧作用を軽減することが可能となる。
すなわち、ナイフバーの左右両端部の形状を平面視で先細り形状とし、かつナイフバー移動方向の左右両端側が幅狭となる平面視ハの字状に傾斜させたことにより、ナイフバーの左右往復動に伴って発生するナイフバー端部の前後動は、それを全く動かないように規制するのではなく、多少は許容して、ナイフバーとナイフクリップとの案内作用部での摺接の際の面圧を低下させることができる。
その結果、ナイフバーとナイフクリップとの間における案内作用部での摩耗を極力軽減し、可動刃の浮き上がりなどによる切断性能の低下を招く要因を避けながら所期の案内作用を長期間にわたって良好な状態に維持させ得る効果がある。
【０００８】
〔解決手段２〕
請求項２にかかる発明では、位置固定された固定刃と、固定刃の上側で固定刃の延設方向と同方向に配設された可動刃と、前記可動刃を前記固定刃に対して左右往復駆動する刈り刃駆動機構とで構成されたバリカン型刈取装置において、
可動刃の延設方向に沿って可動刃と一体に左右移動するナイフバーと、そのナイフバーの前後両側に沿ってナイフバーを摺動自在に案内するナイフクリップとを備え、
前記ナイフバーの移動方向での両端部と、その両端部を案内するナイフクリップのガイド面との間には、ナイフバー移動方向での両端部側ほど大きくなる間隙を形成してあることを特徴とする。
【０００９】
〔解決手段２にかかる発明の作用及び効果〕
上記のように、ナイフバーの移動方向の左右両端部とナイフクリップの案内部との間に、ナイフバー移動方向での両端部側ほど大きくなる間隙を形成したことにより、ナイフバーの左右往復移動に際して生じる左右両端部での前後動による押圧作用を軽減することが可能となる。
すなわち、ナイフバーの左右両端部とナイフクリップのガイド面との間に端部拡がりの間隙を設けることで、ナイフバーの左右往復動に伴って発生するナイフバー端部の前後動は、それを全く動かないように規制するのではなく、多少は許容し得る構造となる。これにより、ナイフバーとナイフクリップとの案内作用部での摺接の際の面圧を低下させることができる。
その結果、ナイフバーとナイフクリップとの間における案内作用部での摩耗を極力軽減し、可動刃の浮き上がりなどによる切断性能の低下を招く要因を避けながら所期の案内作用を長期間にわたって良好な状態に維持させ得る効果がある。
【００１０】
〔解決手段３〕
請求項３にかかる発明では、上記解決手段１または２に記載のバリカン型刈取装置において、ナイフバーの先細り形状の両端部を案内するナイフクリップよりも中央側寄り箇所付近に、ナイフバーの前後両側に沿って摺接案内する中央部ナイフクリップを設けてあることを特徴とする。
【００１１】
〔解決手段３にかかる発明の作用及び効果〕
解決手段３にかかる発明では、ナイフバーの中央部付近を、ナイフバーの前後両側に摺接して案内する中央部ナイフクリップを備えることによって、ナイフバー全体の前後方向の無用な動きを規制し、これに伴ってナイフバーの左右両端部での前後方向の揺れ量も少なくするようにしている。
その結果、ナイフバーとナイフクリップとの間における左右両端部での間隙を極力少なくして、より一層、切断性能の低下を招く要因を避けながら所期の案内作用を長期間にわたって良好な状態に維持させ得る効果がある。
【００１２】
〔解決手段４〕
請求項４にかかる発明では、上記解決手段１、２、または３に記載のバリカン型刈取装置において、左右両端側のナイフクリップが設けられた箇所よりもさらにナイフバー移動方向での端部寄り箇所に、ナイフバーの後方側への移行に対して弾性的に制限作用を与える弾性ガイド部材を設けてあることを特徴とする。
【００１３】
〔解決手段４にかかる発明の作用及び効果〕
解決手段４にかかる発明では、ナイフバーとナイフクリップとによる摺動案内作用部とは別に、しかも端部のナイフクリップが設けられた箇所よりもさらに端部寄りに弾性ガイド部材を設けているので、ナイフバーとナイフクリップとで構成された摺動案内作用部だけで可動刃の左右往復動を行う場合よりもさらに効果的に切断性能の維持を図ることが可能となる。
すなわち、ナイフバーの案内を行う部材として弾性ガイド部材を用いると、ナイフバーの左右両端部における多少の前後移動を許容する範囲においても、前記弾性ガイド部材の弾性付勢力を利用してナイフバーの前後方向移動に対する抵抗を与えることが可能となる。
したがって、このような弾性付勢力による抵抗を与えないで自由にナイフバーの前後方向移動を行わせる場合に比べて、より一層、ナイフバーとナイフクリップとの間における左右両端部での摺接抵抗を軽減して、その摩耗による切断性能の低下を抑制することができる。
しかも、弾性ガイド部材は、ナイフバーの左右往復移動速度が減少する左右方向端部近くに配設されたものであるから、高速で摺接する箇所に設けた場合よりも弾性体の損耗が比較的少なくて済む。
【００１４】
〔解決手段５〕
請求項５にかかる発明では、上記解決手段３に記載のバリカン型刈取装置において、ナイフバーと中央部ナイフクリップとの摺接面を、可動刃の左右移動方向に直交する断面視で、ナイフバーとナイフクリップとの対向する摺接面のうちの一方が凸曲面で他方が凹曲面となるように湾曲した摺接面に形成してあることを特徴とする。
【００１５】
〔解決手段５にかかる発明の作用及び効果〕
解決手段５にかかる発明では、ナイフバーと中央部ナイフクリップとの摺接面を、動刃の左右移動方向に直交する断面視で、一方が凸曲面で他方が凹曲面となるように湾曲した摺接面に形成することにより、その摺接面自体の接触面積を拡大している。
しかも、凸曲面と凹曲面とが摺接した状態では、ナイフバーの上下方向の動きも規制された状態となるので、可動刃の浮き上がり現象を抑止する上で有用である。
したがって、摺接面積の拡大と可動刃の浮き上がり規制を行いやすく、より一層切断性能の低下を抑制することができる効果がある。
【発明を実施するための最良の形態】
【００１６】
以下、本発明の実施形態の一例を図面に基づいて説明する。
〔全体構成〕
本発明のバリカン型刈取装置Ｃは、クローラ式走行装置に搭載設置された機体フレーム上に、エンジン、操縦部、脱穀装置、およびグレンタンクや排ワラ処理装置などを搭載し、前記機体フレームの前部側に配置される刈取装置や引起こし装置で構成された前処理装置を備えるコンバインに適用されたものであり、前記前処理装置用の刈取装置として採用されている。
【００１７】
図１乃至図３に示すように、この刈取り装置Ｃは、固定刃１と、この固定刃１の上に設けた可動刃２と、各可動刃２を駆動する刈刃駆動機構４とによって構成され、前記固定刃１が機体横方向に所定間隔を隔てて並ぶ複数本の分草フレーム６の基部に支持されている。
分草フレーム６の先端部には夫々分草具６ａが装着され、各分草フレーム６の間に形成される茎稈導入路には茎稈引き起こし装置７が配備されている。
【００１８】
固定刃１は、各分草フレーム６の基部に支持させた一つの固定用の受け刃台１０、及び、この受け刃台１０の前縁部の上面側に機体横方向に並べてリベット１２によって止着された複数個の固定刃ピース１１を備えて構成してある。
前記各可動刃２は、機体横方向に並ぶ複数個の可動刃ピース２１、及び、前記各可動刃ピース２１の上面側にリベット２２によって止着されて複数個の可動刃ピース２１を連結している一つのナイフバー２０を備えて構成してある。前記固定刃１が備える固定刃ピース並列ピッチＰ１、及び、各可動刃２が備える可動刃ピース並列ピッチＰ２は、同一長さの並列ピッチに設定してある。
【００１９】
図２に示すように、各可動刃２の両端部近く位置には、可動刃２と一体に連結されたナイフバー２０に作用するナイフクリップ３０を備える支持手段３を設けてあり、左右の可動刃２は、前記各支持手段３を介して固定刃１に機体横方向に摺動自在に支持されている。
【００２０】
左側の可動刃２は、この可動刃２の前記複数の支持手段３のうちの最も機体横外側に位置する前記支持手段３が作用する部位の近くに可動刃操作体２３を備え、この可動刃操作体２３に連結される前記刈刃駆動機構４によって、固定刃１の左側部分に対して機体横幅方向で左右往復駆動するように構成してある。
右側の可動刃２は、この可動刃２の前記複数の支持手段３のうちの最も機体横外側に位置する前記支持手段３が作用する部位の近くに可動刃操作体２３を備え、この可動刃操作体２３に連結される前記刈刃駆動機構４によって、固定刃１の右側部分に対して機体横幅方向で左右往復駆動するように構成してある。
【００２１】
図２，３に示すように、前記各刈刃駆動機構４は、駆動すべき可動刃２の前記可動刃操作体２３の左右一対の操作板２４を備えた係入溝に係入したベアリングで成る操作ローラ４１を一端部に備えた揺動リンク４２、この揺動リンク４２の他端側の端部に一端側が相対回動自在に連結された連動ロッド４３、この連動ロッド４３の他端側が周縁部に相対回動自在に連結された駆動回転体４４を備えて構成してある。
前記揺動リンク４２の中間部は、穀稈搬送装置（図示せず）が備える支軸４５に回動自在に連結されており、揺動リンク４２は、前記支軸４５の軸芯まわりで往復揺動するようになっている。前記駆動回転体４４は、刈取り前処理部のフレームを構成する伝動ケース４６の端部に回転支軸４７を介して駆動回動自在に支持されている。
【００２２】
これにより、各刈刃駆動機構４は、回転支軸４７の機体上下向き軸芯まわりで駆動される駆動回転体４４の回転駆動力を連動ロッド４３によって直線の往復動力に変換して揺動リンク４２の端部に伝達してこの揺動リンク４２を支軸４５の機体上下向き軸芯まわりで、一定の揺動角度で往復揺動するように駆動し、この揺動リンク４２の往復動力を操作ローラ４１によって可動刃操作体２３に伝達することにより、可動刃２を往復駆動する。
【００２３】
〔摺動案内部〕
上記のように構成されている刈取装置Ｃにおいて、本発明のものでは、特に前記ナイフバー２０とナイフクリップ３０との摺動案内部を次のように構成している。
【００２４】
図４に示すように、長尺板状のナイフバー２０は、その左右両端部２０Ａを、ナイフクリップ３０の前後のガイド体３１，３２に往復作動に伴って対向する範囲で夫々先細り形状に形成してある。
先細り形状の左右両端部２０Ａに対向する部位のナイフクリップの各ガイド体３１，３２は、ナイフバー２０の中央に近い側で互いの対向間隔Ｌ１が広く、ナイフバー２０の端部側寄りの部分での互いの対向間隔Ｌ２が狭くなるように、夫々のガイド面３１ａ，３２ａを設けて平面視ハの字状に形成してあって、このガイド面３１ａ，３２ａの間に形成されるテーパー状の空間によってナイフバー２０の両端部２０Ａを摺動案内するように構成されている。
【００２５】
前記各ガイド面３１ａ，３２ａ同士の対向間隔Ｌ１，Ｌ２は、前述のように、ナイフバー２０の中央に近い側で広く、端部側寄りの部分で狭くなるようにテーパー状に形成されているが、図５に示すように、夫々の摺接案内用のガイド面３１ａ，３２ａと、これに対向するナイフバー２０の左右両端部２０Ａの摺接面２０ａとの間隙Ｓは、逆に、ナイフバー２０の中央に近い側では狭く、ナイフバー２０の端部側寄りの部分で広くなるように形成されている。
【００２６】
上記の各ガイド面３１ａ，３２ａ同士の対向間隔Ｌ１，Ｌ２、および前記間隙Ｓは次のように設定されている。
すなわち、ナイフバー２０の先細り形状の左右両端部２０Ａが各ガイド面３１ａ，３２ａから離れて、前記対向間隔Ｌ１，Ｌ２の中心線Ｘ０に沿う状態となっている姿勢から、前記ナイフバー２０が傾いてその左右両端部２０Ａが前後の各ガイド面３１ａ，３２ａの何れかに接触する状態での中心線Ｘ１に沿う姿勢となったとき、左右両端部２０Ａの夫々で、各ガイド面３１ａ，３２ａと、これに接触している摺接面２０ａとが、ナイフバー２０の移動方向の広範囲で前記間隙Ｓがほぼ零に近くなるように、つまり、傾いた姿勢で広範囲の接触面積を確保できるように設定されている。
尚、前記ナイフバー２０の傾き姿勢での中心線Ｘ１の、前記対向間隔Ｌ１，Ｌ２の中心線Ｘ０に対する角度自体もナイフバー２０の往復移動に伴って変化するので、前記左右両端部２０Ａの摺接面２０ａは、その変化度合いに応じた緩やかな曲面に形成されている。
【００２７】
〔別実施形態の１〕
上述の実施形態では、ナイフクリップ３０をナイフバー２０左右両端部に対応する箇所にのみ設けたものを例示したが、これに限らず、図６に示すように、ナイフバー２０の先細り形状の両端部２０Ａを案内するナイフクリップ３０よりも中央側寄り箇所付近に、ナイフバー２０の前後両側に摺接して案内する中央部ナイフクリップ３３を設けてもよい。
この中央部ナイフクリップ３３は、前記左右両側のナイフクリップ３０よりも中央側寄りの前記ナイフバー２０部分を前後で摺接案内するガイド体１４，１５を備え、各ガイド体１４，５は、その対向間隔がナイフバー２０の移動方向で一定であるようにガイド面１４ａ，１５ａを平行に設定されたものである。このガイド体１４，１５に形成したガイド面１４ａ，１５ａが、前記ナイフバー２０の前後両側に形成した摺接面２０ｂに相対向して作用する摺接面を構成している。
【００２８】
〔別実施形態の２〕
図７に示す実施形態では、左右両端側のナイフクリップ３０が設けられた箇所よりもさらにナイフバー２０移動方向での端部寄り箇所に、ナイフバー２０の後方側への移行に対して弾性的に制限作用を与える弾性ガイド部材２５を設けてある。
図７に示したガイド部材２５は、左右両端側のナイフクリップ３０のガイド体３１，３２のうち、後ろ側のガイド体３２のガイド面３２ａとほぼ面一で平行なガイド面２５ａを備えている。尚、前記弾性ガイド部材２５は、可動側のナイフバー２０に対して抜き差し自在に構成してある。
【００２９】
〔別実施形態の３〕
図８に示す実施形態では、左右両端側のナイフクリップ３０のガイド体３１，３２のうち、後ろ側のガイド体３２のガイド面３２ａに対して、ナイフバー２０移動方向での端部寄り箇所ほど、対向する前側のガイド体３１に近づくように傾斜させたガイド面２５ａを備えた構造の弾性ガイド体２５が設けてある。尚、前記弾性ガイド部材２５は、可動側のナイフバー２０に対して抜き差し自在に構成してある。
【００３０】
〔別実施形態の４〕
図９および図１０に示す実施形態では、ナイフバー２０の先細り形状の両端部２０Ａを案内するナイフクリップ３０よりも中央側寄り箇所付近に設けられる中央部ナイフクリップ３３を次のように構成している。
すなわち、中央部ナイフクリップ３３の前後のガイド体１４，１５に形成される摺接案内用のガイド面１４ａ，１５ａを、単なる平坦面ではなく、ナイフバー２０の移動方向が直線で、それに交差する方向が曲面である単曲面からなる凹曲面によって構成してある。
そしてナイフバー２０には、前記凹曲面からなるガイド面１４ａ，１５ａに嵌入して案内される凸曲面で形成された摺接面２０ｂを備える被せ部材２０Ｂをビス止めして一体化してある。
つまり、この構造では、前記被せ部材２０Ｂもナイフバー２０の一部となり、中央部ナイフクリップ３３で摺動案内されるように構成されている。
尚、前記ガイド面１４ａ，１５ａと摺接面２０ｂとのうち、刈刃が突出する前方側とは反対の後方側のガイド面１５ａとこれに対向する摺接面２０ｂとの間では、ガイド面１５ａの曲率と摺接面２０ｂの曲率とを異ならせるなどの手段を講じることにより、後方側に多少の間隙Ｓ１を設けてある。
このように後方側に間隙Ｓ１を設けておくことにより、前側のガイド面１４ａとこれに対向する摺接面２０ｂとの間での摩耗が進行した場合に、前側に位置する可動刃２が多少前下がりになることを許して、可動刃と固定刃１との摺接状態を確保し易く構成してある。
前記ナイフバー２０と被せ部材２０Ｂとは一体に鍛造または鋳造、或いは焼結によって構成されるものであってもよい。また、被せ部材２０Ｂが存在する範囲は、ナイフバー２０の全長である必要はなく、中央部ナイフクリップ３３によって案内される往復作動領域に相当する範囲であればよい。
【００３１】
〔別実施形態の５〕
本発明は、左右一対の可動刃２が相反する方向に往復駆動されるように装備された刈取り装置の他、一つの可動刃が往復駆動されるように装備された刈取り装置にも適用できる。
【００３２】
〔別実施形態の６〕
本発明によるバリカン型刈取装置は、実施形態に示したように上下軸心回りで回転駆動される刈刃駆動機構４を用いて駆動されるものに限らず、図１１に示すような水平方向軸心回りでの回転運動を、刈刃の左右往復運動に変換して伝達する刈刃駆動機構４によって駆動されるものであってもよい。
このように水平方向軸心回りでの回転運動を左右往復運動に変換する刈刃駆動機構４によって駆動する場合は、前述の上下軸心回りで駆動される刈刃駆動機構４を用いた場合よりも、比較的可動刃２に対する前後方向の操作力は小さくなるものの、長尺の可動刃２の一点に対して左右往復運動を付与することには違いがないので、やはり、その端部側が振れ動く傾向を有するものである。
【００３３】
〔別実施形態の７〕
上述の実施の形態では、左右両端側のナイフクリップ３０のガイド面３１ａ，３２ａを、ナイフバー２０の前後で、ナイフバー３０の移動方向に対して共に傾斜させたテーパー状に形成したものであるが、これに限らず、前方側もしくは後方側の何れか一方をナイフバー３０の摺接面２０ａと平行にして、他方側のガイド面３１ａ，３２ａのみを傾斜させるように構成する、あるいは前後でガイド面３１ａ，３２ａの傾斜角度を変化させるなど、適宜に変更してもよい。
【００３４】
〔別実施形態の８〕
左右両端側のナイフクリップ３０のガイド面３１ａ，３２ａを、互いに平行な直線面からなる構造にして、ナイフバー３０の摺接面２０ａを平面視先細り形状にするなどの構成を採用して、端部側の間隙Ｓを広くするように構成してもよい。
【００３５】
〔別実施形態の９〕
ナイフバー３０の摺接面２０ａが互いに平行な直線面からなる構造にして、左右両端側のナイフクリップ３０のガイド面３１ａ，３２ａを、左右端部側が拡がり傾向を持つ、逆のハの字状に形成して端部側の間隙Ｓを広くするように構成してもよい。
【００３６】
〔別実施形態の９〕
本発明によるバリカン型刈取装置は、コンバインの他、バインダーやい草収穫機、あるいは草刈り機など、刈取対象物が種々異なる農作業機にも適用できる。
【図面の簡単な説明】
【００３７】
【図１】コンバインの前処理部の平面図
【図２】刈取装置の平面図
【図３】刈取装置の上下方向断面図
【図４】刈取装置の摺動案内部を示す平面図
【図５】刈取装置の摺動案内部を示す拡大平面図
【図６】刈取装置の摺動案内部の他の実施形態を示す平面図
【図７】刈取装置の摺動案内部の他の実施形態を示す平面図
【図８】刈取装置の摺動案内部の他の実施形態を示す平面図
【図９】刈取装置の摺動案内部の他の実施形態を示す上下方向断面図
【図１０】刈取装置の摺動案内部の他の実施形態を示す平面図
【図１１】刈取装置の他の実施形態を示す平面図
【符号の説明】
【００３８】
Ｃ              刈取り装置
１              固定刃
２              可動刃
３              支持手段
４              刈刃駆動機構
１０            受け刃台
２０            ナイフバー
２０Ａ          左右両端部
２０ａ          摺接面
３０            ナイフクリップ
３１，３２      ガイド体
３１ａ，３２ａ  ガイド面
３３            中央部ナイフクリップ
【図１】
2008113616.tif 000003
【図２】
2008113616.tif 000004
【図３】
2008113616.tif 000005
【図４】
2008113616.tif 000006
【図５】
2008113616.tif 000007
【図６】
2008113616.tif 000008
【図７】
2008113616.tif 000009
【図８】
2008113616.tif 000010
【図９】
2008113616.tif 000011
【図１０】
2008113616.tif 000012
【図１１】
2008113616.tif 000013